(57)【要約】      （修正有）【課題】切削工具の取り付け作業を簡単且つ短時間で行うことができるようにすると共に、取り付け作業中において、切削工具が工具ホルダから外れて落下することを回避することができる、抜け防止工具ホルダ組立体及びその工具ホルダを提供する。【解決手段】切削工具４０を保持する工具ホルダ１０であって、挿入空間と結合孔１２１を備え、挿入空間は、工具ホルダ内に形成されると共に少なくとも一つの係合溝が形成され、係合溝は、挿入空間の内周壁面上に凹設されると共に案内通路と位置決め槽１１３を含み、案内通路は挿入空間の内周壁面上に凹設され、位置決め槽は挿入空間の内周壁面上に凹設されると共に案内通路と連通し、案内通路と位置決め槽とが角度を有するように設置され、結合孔は工具ホルダ内に形成されて挿入空間と連通し、切削工具は、案内通路に沿って位置決め槽に案内されて位置決めされる。【選択図】図１
0003231428.tif 000002
【実用新案登録請求の範囲】
【請求項１】
切削工具を保持する工具ホルダであって、挿入空間と結合孔を備え、
前記挿入空間は、前記工具ホルダ内に形成されると共に、少なくとも一つの係合溝が形成され、該少なくとも一つの係合溝は、該挿入空間の内周壁面上に凹設されると共に、案内通路と位置決め槽を含み、該案内通路は、該挿入空間の内周壁面上に凹設され、該位置決め槽は、該挿入空間の内周壁面上に凹設されると共に、該案内通路と連通し、該案内通路と位置決め槽とが角度を有するように設置され、
前記結合孔は、前記工具ホルダ内に形成され、かつ前記挿入空間と連通し、
前記切削工具は、前記案内通路に沿って、前記位置決め槽に案内されて、位置決めされることを特徴とする工具ホルダ。
【請求項２】
前記挿入空間には、三つの係合溝が形成され、該三つの係合溝は、該挿入空間の内周壁面上に等間隔で配置されることを特徴とする請求項１に記載の工具ホルダ。
【請求項３】
抜け防止工具ホルダ組立体であって、請求項１又は請求項２に記載の工具ホルダと、端蓋と、位置決めブロックと、当接部材と、クランプナットとを備え、
前記端蓋は、前記工具ホルダにおける、前記挿入空間に近隣する端部に結合されると共に、少なくとも一つのガイド槽が設けられ、該少なくとも一つのガイド槽は、該端蓋の内周壁面に形成されると共に、該工具ホルダの少なくとも一つの係合溝の案内通路と直線的に対向して連通するように配置され、
前記切削工具は、前記端蓋を通って、前記工具ホルダの挿入空間内に挿入されると共に、該切削工具の外周面上に嵌合槽が凹設され、
前記位置決めブロックは、前記切削工具の嵌合槽に取り付けられると共に、ブロック本体部と突起部を有し、該ブロック本体部は、該嵌合槽上に取り付けられ、該突起部は、該ブロック本体部における、該嵌合槽から離れる表面に突出するように設けられると共に、前記少なくとも一つの係合溝の案内通路に沿って、前記位置決め槽内に挿入されると、該位置決めブロックと切削工具とが、前記工具ホルダ内に位置決めされ、
前記当接部材は、前記工具ホルダの結合孔に結合されると共に、該結合孔に対して、該工具ホルダの軸心方向に沿って移動することができ、該当接部材は、前記切削工具における、該工具ホルダ内に差し込まれる端部に当接すると、前記位置決めブロックの突起部が、前記少なくとも一つの係合溝の位置決め槽に当接され、
前記クランプナットは、前記工具ホルダにおける、前記挿入空間が形成される部分の外部に取り付けられることを特徴とする抜け防止工具ホルダ組立体。
【請求項４】
前記抜け防止工具ホルダ組立体は、ニードルローラをさらに備え、該ニードルローラは、前記工具ホルダにおける、前記挿入空間が形成される部分の外周面を取り囲むように設置されると共に、前記工具ホルダとクランプナットとの間に介在することを特徴とする請求項３に記載の抜け防止工具ホルダ組立体。
【請求項５】
前記当接部材と結合孔とが螺合連結されることを特徴とする請求項３に記載の抜け防止工具ホルダ組立体。
【請求項６】
前記当接部材と結合孔とが螺合連結されることを特徴とする請求項４に記載の抜け防止工具ホルダ組立体。
【考案の詳細な説明】
【技術分野】
【０００１】
本考案は、切削工具のホルダに関し、特に抜け防止工具ホルダ組立体及びその工具ホルダに関するものである。
【背景技術】
【０００２】
従来の抜け防止工具ホルダ組立体は、エンドミルホルダと、切削工具と、ロック部材とを備え、該エンドミルホルダが挿通孔を含み、該切削工具の外周面上に当接面が設けられ、切削工具をエンドミルホルダに取り付ける時に、まず、切削工具をエンドミルホルダに挿入し、次に、当該切削工具を回しながら、該エンドミルホルダの挿通孔との位置合わせをし、その後、ロック部材をエンドミルホルダの挿通孔に挿通して、該切削工具の当接面に当接させ、該切削工具をエンドミルホルダにロックすれば、装着作業が完成する。
【０００３】
しかしながら、切削工具をエンドミルホルダに挿入すると、当該切削工具の当接面が見えなくなり、作業員は、当接面の所在位置を把握できない状態となり、切削工具を回しながら、切削工具の当接面とエンドミルホルダの挿通孔との位置合わせ作業が行えなくなってしまう。故に、従来の抜け防止工具ホルダ組立体においては、切削工具の当接面とエンドミルホルダの挿通孔との位置合わせ作業は極めて面倒で時間がかかるので、改善する必要があった。
【考案の概要】
【考案が解決しようとする課題】
【０００４】
本考案は、前記従来技術の欠点に鑑みてなされたものであり、切削工具の取り付け作業を簡単且つ短時間で行うことができるようにすると共に、取り付け作業中において、切削工具が工具ホルダから外れて落下することを回避することができる、抜け防止工具ホルダ組立体及びその工具ホルダを提供することを目的としている。
【課題を解決するための手段】
【０００５】
上記目的を達成するために、本考案は、切削工具を保持する工具ホルダであって、挿入空間と結合孔を備え、
前記挿入空間は、前記工具ホルダ内に形成されると共に、少なくとも一つの係合溝が形成され、該少なくとも一つの係合溝は、該挿入空間の内周壁面上に凹設されると共に、案内通路と位置決め槽を含み、該案内通路は、該挿入空間の内周壁面上に凹設され、該位置決め槽は、該挿入空間の内周壁面上に凹設されると共に、該案内通路と連通し、該案内通路と位置決め槽とが角度を有するように設置され、
前記結合孔は、前記工具ホルダ内に形成され、前記挿入空間と連通し、
前記切削工具は、前記案内通路に沿って、前記位置決め槽に案内されて、位置決めされることを特徴とする。
【０００６】
前記挿入空間には、三つの係合溝が形成され、該三つの係合溝は、該挿入空間的内周壁面上に等間隔で配置されることを特徴とする。
【０００７】
上記目的を達成するために、本考案はさらに、抜け防止工具ホルダ組立体を提案しており、該抜け防止工具ホルダ組立体は、請求項１又は請求項２に記載の工具ホルダと、端蓋と、位置決めブロックと、当接部材と、クランプナットとを備え、
前記端蓋は、前記工具ホルダにおける、前記挿入空間に近隣する端部に結合されると共に、少なくとも一つのガイド槽が設けられ、該少なくとも一つのガイド槽は、該端蓋の内周壁面に形成されると共に、該工具ホルダの少なくとも一つの係合溝の案内通路と直線的に対向して連通するように配置され、
前記切削工具は、前記端蓋を通って、前記工具ホルダの挿入空間内に挿入されると共に、該切削工具の外周面上に嵌合槽が凹設され、
前記位置決めブロックは、前記切削工具の嵌合槽に取り付けられると共に、ブロック本体部と突起部を有し、該ブロック本体部は、該嵌合槽上に取り付けられ、該突起部は、該ブロック本体部における、該嵌合槽から離れる表面に突出するように設けられると共に、前記少なくとも一つの係合溝の案内通路に沿って、前記位置決め槽内に挿入されると、該位置決めブロックと切削工具とが、前記工具ホルダ内に位置決めされ、
前記当接部材は、前記工具ホルダの結合孔に結合されると共に、該結合孔に対して、該工具ホルダの軸心方向に沿って移動することができ、該当接部材は、前記切削工具における、該工具ホルダ内に差し込まれる端部に当接すると、前記位置決めブロックの突起部が、前記少なくとも一つの係合溝の位置決め槽に当接され、
前記クランプナットは、前記工具ホルダにおける、前記挿入空間が形成される部分の外部に取り付けられることを特徴とする。
【０００８】
さらに、前記抜け防止工具ホルダ組立体は、ニードルローラをさらに備え、該ニードルローラは、前記工具ホルダにおける、前記挿入空間が形成される部分の外周面を取り囲むように設置されると共に、前記工具ホルダとクランプナットとの間に介在することを特徴とする。
【０００９】
さらに、前記当接部材と結合孔とが螺合連結されることを特徴とする。
【考案の効果】
【００１０】
前記技術的特徴によれば、本考案に係る抜け防止工具ホルダ組立体及びその工具ホルダは、使用時に、まず、位置決めブロックの突起部を、端蓋のガイド槽のうちの一つに合わせ、その後、切削工具を工具ホルダの軸方向に沿って、端蓋のガイド槽と直線的に対向する案内通路内に、当該切削工具のシャンク部の端部が当接部材に当接するまで挿入させ、さらに、当該切削工具を回して、位置決めブロックの突起部を、案内通路と連通する位置決め槽内に嵌合させれば、切削工具の取り付け作業が完了する。上述したように、本考案によれば、端蓋の少なくとも一つのガイド槽、及び工具ホルダの少なくとも一つの係合溝の案内通路は、誘導案内効果をもたらすことから、従来の抜け防止工具ホルダ組立体のような、切削工具の当接面の所在位置を把握できない状態で、当接面とエンドミルホルダの挿通孔との位置合わせ作業を行わざるをえない問題を解決できると共に、切削工具の取り付け作業を、簡単かつ短時間で行うことができ、さらに、取り付け作業の過程で、位置決めブロックの突起部は常に、ガイド槽及び案内通路内に嵌め込まれるように案内されるので、工具ホルダから外れて落下することを防止することができる。
【図面の簡単な説明】
【００１１】
【図１】本考案の好適な実施例の部分断面斜視図である。
【図２】本考案の好適な実施例の部分断面分解斜視図である。
【図３】本考案の好適な実施例の側面視断面図である。
【図４】本考案の好適な実施例においての工具ホルダの部分断面斜視図である。
【図５】本考案の好適な実施例においての工具ホルダの側面視断面図である。
【図６】図５内のＡ-Ａ線断面図である。
【図７】本考案の好適な実施例においての取り付け状態を示す模式図である。
【図８】本考案の好適な実施例においての取り付け状態を示す模式図である。
【図９】本考案の好適な実施例においての取り付け状態を示す模式図である。
【図１０】本考案の好適な実施例においての取り付け状態を示す模式図である。
【考案を実施するための形態】
【００１２】
本考案の目的を達成するために採用された技術手段を、以下の図面及び好ましい実施形態により説明する。
【００１３】
図１及び図２は、本考案に係る抜け防止工具ホルダ組立体の好適な実施例を示すものであり、当該抜け防止工具ホルダ組立体は、工具ホルダ１０、ニードルローラ２０と、端蓋３０と、切削工具４０と、位置決めブロック５０と、当接部材６０と、クランプナット７０とを備える。
【００１４】
図２、図４及び図５に示すように、前記工具ホルダ１０は、挿入空間１１と挿通孔１２を有し、該挿入空間１１は、該工具ホルダ１０内に形成されると共に、少なくとも一つの係合溝１１１が設けられ、該少なくとも一つの係合溝１１１は、該挿入空間１１の内周壁面上に凹設されると共に、案内通路１１２と位置決め槽１１３を含み、該案内通路１１２は、該挿入空間１１の内周壁面上に凹設されるように、該工具ホルダ１０の軸心方向に延び、該位置決め槽１１３は、該挿入空間１１の内周壁面上に凹設されると共に、該案内通路１１２と連通し、且つ、該案内通路１１２と位置決め槽１１３とは角度を有するように設置される。尚、本考案の好適な実施例においては、前記案内通路１１２と位置決め槽１１３との間における交角は直角である。さらに、図６に示すように、前記挿入空間１１には、係合溝１１１が三つ設置され、該三つの係合溝１１１は、該挿入空間１１の内周壁面上に等間隔で配置される。前記挿通孔１２は、前記工具ホルダ１０における、前記挿入空間１１と相対する一端に形成されると共に、該挿入空間１１と連通し、該挿通孔１２における、該挿入空間１１に隣近する一端に結合孔１２１が設けられ、該結合孔１２１は、前記工具ホルダ１０内に形成されると共に、該挿入空間１１を連通し、実施例において、該結合孔１２１はねじ孔である。
【００１５】
図１〜図３に示すように、前記ニードルローラ２０は、前記工具ホルダ１０における、前記挿入空間１１が形成される区間の外周面を取り囲むように設置される。
【００１６】
図２〜図４に示すように、前記端蓋３０は、前記工具ホルダ１０における、前記挿入空間１１に近隣する端部に螺合結合されると共に、少なくとも一つのガイド槽３１が設けられ、該少なくとも一つのガイド槽３１は、該端蓋３０の内周壁面に形成されると共に、該工具ホルダ１０の少なくとも一つの係合溝１１１の案内通路１１２と直線的に対向して連通するように配置される。尚、本考案の好適な実施例においては、前記端蓋３０上に三つのガイド槽３１が設けられ、該各ガイド槽３１が、前記係合溝１１１の案内通路１１２の一つと直線的に対向して連通するように配置される。
【００１７】
図１〜図３に示すように、前記切削工具４０は、前記端蓋３０を通って、前記工具ホルダ１０の挿入空間１１内に挿入すると共に、該切削工具４０の外周面上に、嵌合槽４１が凹設される。
【００１８】
図１〜図３に示すように、前記位置決めブロック５０は、前記切削工具４０の嵌合槽４１上に着脱可能に取り付けられると共に、ブロック本体部５１と突起部５２を有し、該ブロック本体部５１は、該嵌合槽４１上に取り付けられ、該突起部５２は、該ブロック本体部５１における、該嵌合槽４１から離れる表面に突出するように形成されると共に、前記少なくとも一つの係合溝１１１の案内通路１１２に沿って、前記位置決め槽１１３内に挿入され、これにより、該位置決めブロック５０と切削工具４０とが、前記工具ホルダ１０内の少なくとも一つの係合溝１１１の位置決め槽１１３に嵌合されて位置決めされる。尚、本考案の他の好適な実施例においては、前記位置決めブロック５０が、前記切削工具４０の嵌合槽４１に一体成型されてもよい。
【００１９】
図１、図３及び図４に示すように、前記当接部材６０は、前記工具ホルダ１０の結合孔１２１に結合されると共に、該結合孔１２１に対して、該工具ホルダ１０の軸心方向に沿って移動することができ、図１０に示すように、該当接部材６０が、前記切削工具４０における、該工具ホルダ１０に挿入される端部に当接すると、前記位置決めブロック５０の突起部５２が、前記少なくとも一つの係合溝１１１の位置決め槽１１３に当接するように係合され、これにより、該工具ホルダ１０に対する切削工具４０の振動を抑える効果が得られる。尚、前記当接部材６０の外周壁面上に、オスネジ山が形成され、前記結合孔１２１の内周壁面上に、対応するメスネジ山が形成されることが好ましく、これにより、該当接部材６０が、前記工具ホルダ１０の軸心方向に沿って、該結合孔１２１と移動可能に螺合結合される。
【００２０】
図１〜図３に示すように、前記クランプナット７０は、前記ニードルローラ２０を取り囲むように、前記工具ホルダ１０における、前記挿入空間１１が形成される区間の外部に取り付けられ、つまり、該ニードルローラ２０は、該工具ホルダ１０とクランプナット７０との間に介在する。
【００２１】
図７及び図８に示すように、本考案に係るの抜け防止工具ホルダ組立体及びその工具ホルダの取り付け方法についてであるが、まず、前記ニードルローラ２０、端蓋３０、当接部材６０、及びクランプナット７０を、前記工具ホルダ１０に取り付け、次に、前記位置決めブロック５０を、前記切削工具４０の嵌合槽４１に設置し、その後、該位置決めブロック５０の突起部５２を、該端蓋３０のガイド槽３１の一つに合わせてから、図８に示すように、該切削工具４０と、該位置決めブロック５０とを順次に、該端蓋３０及び工具ホルダ１０の挿入空間１１に挿入させる。詳しく述べると、挿入する際には、該位置決めブロック５０の突起部５２を、該端蓋３０のガイド槽３１の一つを通過させてから、当該ガイド槽３１と直線的に配置される案内通路１１２に沿って、該切削工具４０のシャンク部の端部を、該当接部材６０に当接するまで挿入させる。さらに、図９に示すように、前記切削工具４０を回して、前記突起部５２を一緒に回転させながら、前記案内通路１１２と連通する位置決め槽１１３内に嵌合させると、切削工具４０を工具ホルダ１０への取り付け作業が完了する。図１０に示すように、取り付け作業を終えた後、前記突起部５２と、該突起部５２を収容する位置決め槽１１３との間に、多少の遊びが生じるので、切削加工中、前記切削工具４０と前記工具ホルダ１０との間に振動が発生する虞があり、この状況を解消するために、ドライバーを使って、前記工具ホルダ１０の挿通孔１２に挿入して、前記結合孔１２１内に螺合結合されている当接部材６０を回して、該結合孔１２１に対して前進させるようにねじ込めば、該切削工具４０を、該挿通孔１２から離れる方向へ移動させることができる。すると、該位置決めブロック５０の突起部５２が、該少なくとも一つの係合溝１１１の位置決め槽１１３内に嵌合される。
【００２２】
前記技術的特徴によれば、本考案に係る抜け防止工具ホルダ組立体及びその工具ホルダは、使用時に、まず、位置決めブロック５０の突起部５２を、端蓋３０のガイド槽３１のうちの一つに合わせ、その後、切削工具４０を、工具ホルダ１０の軸方向に沿って、端蓋３０のガイド槽３１と直線的に対向する案内通路１１２内に、当該切削工具４０のシャンク部の端部が当接部材６０に当接するまで挿入させ、さらに、当該切削工具４０を回して、位置決めブロック５０の突起部５２を、案内通路１１２と連通する位置決め槽１１３内に嵌合させれば、切削工具４０の取り付け作業が完了する。上述したように、本考案によれば、端蓋３０の少なくとも一つのガイド槽３１、及び工具ホルダ１０の少なくとも一つの係合溝１１１の案内通路１１２は、誘導案内効果をもたらすことから、従来の抜け防止工具ホルダ組立体のような、切削工具の当接面の所在位置を把握できない状態で、当接面とエンドミルホルダの挿通孔との位置合わせ作業を行わざるをえない問題を解決できると共にし、切削工具の取り付け作業を、簡単かつ短時間で行うことができ、さらに、取り付け作業の過程で、位置決めブロック５０の突起部５２は常に、ガイド槽３１及び案内通路１１２内に嵌め込まれるように案内されているので、工具ホルダから外れて落下することを防止することができる。
【符号の説明】
【００２３】
１０   工具ホルダ
１１   挿入空間
１１１ 係合溝
１１２ 案内通路
１１３ 位置決め槽
１２   挿通孔
１２１ 結合孔
２０   ニードルローラ
３０   端蓋
３１   ガイド槽
４０   切削工具
４１   嵌合槽
５０   位置決めブロック
５１   ブロック本体部
５２   突起部
６０   当接部材
７０   クランプナット
【図１】
0003231428.tif 000003
【図２】
0003231428.tif 000004
【図３】
0003231428.tif 000005
【図４】
0003231428.tif 000006
【図５】
0003231428.tif 000007
【図６】
0003231428.tif 000008
【図７】
0003231428.tif 000009
【図８】
0003231428.tif 000010
【図９】
0003231428.tif 000011
【図１０】
0003231428.tif 000012